(57)【特許請求の範囲】
【請求項１】
複数の羽根車が軸方向に並ぶように収容されたポンプケーシングと、このポンプケーシング端に連結されたモータとを有して構成されたポンプ構造体と、
前記ポンプケーシングの軸心方向に沿って延びる板部材を有して構成され、この板部材により前記モータから延びるケーブルを覆いながら前記ポンプケーシングの外面に添わせて前記モータとは反対方向へ導くケーブル保護板とを有し、
前記ケーブル保護板は、前記板部材の長手方向中間部に引掛用の開口が形成された中間脚部と、前記板部材の長手方向で、かつ、幅方向両側にねじ止め孔が前記ポンプケーシングの軸心方向に沿って延びる長孔により形成された端脚部とを備え、
前記ポンプケーシングは、前記端脚部と対応する外面部分に形成されたねじ孔と、前記中間脚部と対応する外面部分に形成され先端が前記ポンプケーシングの軸心方向に沿って設けられた爪部とを備え、
前記中間脚部は、前記開口に前記爪部を挿入させて同爪部を前記開口縁に引っ掛けることにより前記ポンプケーシングの外面に固定可能に形成され、
前記端脚部は、前記中間脚部の固定によって位置決められた前記長孔からねじを前記ねじ孔へねじ込むことによって前記ポンプケーシングの外面に固定可能に形成され、
前記ケーブル保護板は、前記長孔から前記ねじを前記ねじ孔へ挿入後、前記爪部が挿入されたケーブル保護板を仮止めし、該仮止めした部分をガイドとして前記ケーブル保護板全体を前記爪部と前記開口縁とが引っ掛かる方向にスライドさせて前記中間脚部を固定してから、前記仮止めしたねじをねじ込んで、前記端脚部を固定することを特徴とする水中ポンプ用ケーブル保護板の取付構造。
【発明の詳細な説明】
【０００１】
【発明の属する技術分野】
本発明は、水中ポンプのモータから延びたケーブルをポンプケーシングの外面に添わせて地上に向かう方向に導く水中ポンプ用ケーブル保護板の取付構造に関する。
【０００２】
【従来の技術】
井戸水の汲み上げなどで使用される深井戸用水中ポンプは、複数の羽根車が収容されたポンプケーシングの端部に、羽根車を駆動する水中モータを連結した円柱形のポンプ構造体が用いられる。
【０００３】
こうした深井戸用水中ポンプの据え付けは、ポンプ構造体を井戸内に挿入させることで行なわれるが、この際、水中モータから延びる電源ケーブルが井戸の内面と摺接して挿入作業を損なわせたり、電源ケーブルを損傷させてしまうおそれがある。特に井戸水を汲み上げる水中ポンプに見られるような、細長いポンプ構造体を、同ポンプ構造体の最大外径と接近している井戸径の井戸内に挿入させるときに発生しやすい。
【０００４】
そこで、長い全長をもつ多段式の水中ポンプでは、弛みが生じないよう電源ケーブルをケーブル保護板で覆いながらポンプケーシングの外面に軸心沿いに添わせて、水中モータとは反対方向、すなわち地上方向へ導くことが行なわれている。
【０００５】
こうしたケーブル保護板には、ポンプケーシングの軸心方向に沿って延びる板部材が用いられ、この板部材で電源ケーブルをポンプケーシングとは反対方向から抑えてポンプケーシングの外面に添わせることが行なわれている。
ところで、ケーブル保護板も、他の機器と同様、できるだけコストを省く手法で取り付けが求められている。
【０００６】
【発明が解決しようとする課題】
そこで、長い全長のケーブル保護板では、固定個所をできるだけ抑えて良好な固定効果が得られるよう、板部材の両端部と中間部との３個所でポンプケーシングの外面にねじ止めして、電源ケーブル全体がポンプケーシングから浮かないように抑えることが行なわれている。
【０００７】
ところが、ねじ止め作業は、かなり手間を要するので、ケーブル保護板の全体を終えるまでに時間がかかる。しかも、固定個所に応じたねじ部品の数量およびねじ加工を必要とするので、コスト的な負担が大きい。
【０００８】
本発明は上記事情に着目してなされたもので、その目的とするところは、全長の長いケーブル保護板を効率良く、かつ安価なコストでポンプケーシングに取り付けることができる水中ポンプ用ケーブル保護板の取付構造を提供することにある。
【０００９】
【課題を解決するための手段】
上記目的を達成するために請求項１に記載した水中ポンプ用ケーブル保護板は、中間部がポンプケーシングの外面に引っ掛けて固定、両端側がポンプケーシングの外面にねじ止めして固定されるように構成して、ねじ止め個所を削減し、固定に費やす作業時間の短縮と部品点数およびねじ加工の削減により、コストの低減を図りつつ、効率の良い作業で、長い全長のケーブル保護板の固定が行なえるようにしたことにある。
【００１０】
さらに両端側でのねじ止め作業が効率良く進められるよう、ケーブル保護板が、板部材の長手方向中間部に引掛用の開口が脚部座に形成された中間脚部を有し、両端側にねじ止め孔が脚部座に形成された端脚部を有して構成され、ポンプケーシングが、端脚部と対応する外面部分に、ねじ孔が形成され、中間脚部と対応する外面部分に、先端がポンプケーシングの軸方向に向く爪部が形成された構成とし、ケーブル保護板の中間脚部が、開口に爪部を挿入させて同爪部を開口縁に引っ掛けることによりポンプケーシングの外面に固定され、ケーブル保護板の端脚部が、中間脚部の固定によって位置決められたねじ止め孔からねじをねじ孔へねじ込むことによりポンプケーシングの外面に固定されるようにして、開口縁と爪部との引っ掛けが、そのまま面倒なねじ止め孔の位置決めを兼ねるようにしたことにある。
【００１１】
さらに合理的に長い全長のケーブル保護板の固定作業が進められるよう、端脚部のねじ止め孔を、ポンプケーシングの軸心方向に延びる長孔から形成し、長孔からねじをねじ孔へ挿入して爪部が挿入されたケーブル保護板を仮止めし、この仮止めした部分をガイドとしてケーブル保護板全体を爪部と開口の縁部とが引っ掛かかる方向にスライドさせて中間脚部を固定してから、仮止めしたねじをねじ込んで端脚部を固定することにより、位置ずれの発生なくねじ止めが行なえるようにしたことにある。
【００１２】
【発明の実施の形態】
以下、本発明を図１ないし図４に示す一実施形態にもとづいて説明する。
図１（ａ）は水中ポンプ、例えば深井戸用の多段水中ポンプの側面図、同図（ｂ）は正断面図、同図（ｃ）は平断面図をそれぞれ示し、図中１は上下方向に延びる細長のポンプ部、２は同ポンプ部１のポンプケーシングを示す。
【００１３】
ポンプケーシング２は、下位に配置した吸込ケーシング３と上位に配置した吐出ケーシング４との間に、羽根車５を収容した複数の筒形の中間ケーシング６を直列に並べて構成される。なお、ケーシング群は、吸込ケーシング３，吐出ケーシング４との間に掛け渡される締結バンド（図示しない）で締結してある。
【００１４】
またポンプケーシング２の中心部には回転軸７が配設してある。回転軸７は中間ケーシング６間に介在された軸受用ケーシング８の軸受部８ａと吐出ケーシング４内に形成された軸受部４ａとによって回転自在に支持してある。
【００１５】
この回転軸７には、各中間ケーシング６内の回転羽根５が軸方向に並ぶように嵌挿され、回転軸７の回転で各羽根車５が回転駆動されることによって多段の吸込／吐出が行われるポンプ部１を構成している。
【００１６】
またポンプ部１の端部となる吸込ケーシング３には、回転軸７を駆動する水中モータ９（本願のモータに相当）が連結され、モータ部分とポンプ部分とが一体化した細長く柱状に延びるポンプ構造体１０（本体）を構成している。
【００１７】
一方、９ａは水中モータ９から延びた長尺な電源ケーブル（本願のケーブルに相当）である。この電源ケーブル９ａが、ポンプケーシング２の外面に取り付けたケーブル保護板１１によって、弛まないようポンプケーシング２の外面に軸心沿いに添わせられて、水中モータ９とは反対方向、すなわち地上方向へ導かれている。
【００１８】
このケーブル保護板１１の取付構造に本発明が適用されている。
この取付構造が図２に示されている。図２（ａ）はケーブル保護板１１の正面図、同図（ｂ）は一部断面した側面図、同図（ｃ）は側断面図をそれぞれ示している。各図からケーブル保護板１１の取付構造について説明すれば、ケーブル保護板１１は、例えば断面がほぼコ字形をなした板部材１２を有している。この板部材１２はポンプケーシング２の軸心方向に沿って細長く延びていて、内部空間に電源ケーブル９ａが収められるようにしてある。
【００１９】
このケーブル保護板１１には、板部材１２の中間部をポンプケーシング２の外面に引っ掛け、両端部をポンプケーシング２の外面にねじ止めすることによって、ポンプケーシング２の軸方向に沿って取り付けられるようにした構造が採用されている。
【００２０】
すなわち、板部材１２の両端部には、例えば板部材１２の両側壁から側方へ張り出す一対の帯形プレートで形成される端脚部１３がそれぞれ形成されている。これら端脚部１３，１３は、それぞれ吸込ケーシング３の外面に形成されている据付座１４、吐出ケーシング４の外面に形成されている据付座１５（いずれも図１に図示）に対応して形成してある。端脚部１３，１３には、いずれも据付座１４，１５に形成されている小径のねじ孔１６と組み合うねじ止め孔１７が形成されている。これらねじ止め孔１７は、いずれもポンプケーシング２の軸心方向に若干延びる長孔から形成されていて、各ねじ止め孔１７から小ねじ１８（本願のねじに相当）をねじ孔１６へねじ込むことにより、端脚部１３，１３が高い支持強度が得られる吸込ケーシング３／吐出ケーシング４に固定されるようにしてある。
【００２１】
また板部材１２の長手方向中間部には、例えば板部材１２の両側壁から側方へ張り出す一体の帯板プレートで形成される中間脚部１９が形成されている。この中間脚部１９は、軸受用ケーシング８と対応する地点に形成してある。中間脚部１９には、軸受用ケーシング８の外面から突き出ている一対の爪部２０と組み合う例えば矩形の開口２１（本願の引掛用の開口に相当）が形成されている。
【００２２】
各開口２１は、爪部２０が挿脱自在な大きさ、具体的には爪部２０を若干大きくしたような爪部２０の外形に対応した大きさをもっている。また各爪部２０は、先端がポンプケーシング２の軸方向（軸心方向）、例えば吐出ケーシング４側に向くフック状、具体的には先端が吐出ケーシング４側に向く逆Ｌ字状に形成してある。そして、対向する爪部２０の先端部と軸受け用ケーシング８の外面と間に引掛け用の隙間２２（図２だけに図示）を形成している。隙間２２は、中間脚部１９の厚み寸法に相当する離間距離を有していて、開口２１を爪部２０に挿入させてからケーブル保護板１１を水中モータ９側へスライドさせると、開口２１の縁部が隙間２１に差し込まれて、中間脚部１９が爪部２０と引っ掛かるようにしてある。この係止により、高い支持強度が得られる軸受用ケーシング８の外面部分に中間脚部１９が固定されるようにしてある。
【００２３】
この中間脚部１９による引掛け構造により、できるだけ手間を省いて、ケーブル保護板１１をポンプケーシング２に取り付けられるようにしてある。
すなわち、ケーブル保護板１１を用いて、ポンプケーシング２の外面に電源ケーブル９ａを沿わせるように配線するときは、ケーブル保護板１１の開口をポンプケーシング２側に向け、両端側をポンプケーシング２の軸方向沿いに向け、内部に電源ケーブル９ａを挿通させてから、図３（ａ），（ｂ）に示されるように爪部２０が開口２１を貫通するように各中間脚部１９を軸受用ケーシング８の外面に載せる。このときの開口２１が爪部２０を貫通するとき姿勢により、両端側の端脚部１３，１３がそれぞれ吸込ケーシング３、吐出ケーシング４の据付座１４，１５に位置決められるように規制され、同据付座１４，１５のねじ孔１６にそれぞれ端脚部１３のねじ止め孔１７が配置される。
【００２４】
ついで、図３（ｂ）に示されるように各ねじ止め１７から小ねじ１８をそれぞれねじ孔１６へ途中までねじ込み、各端脚部１３，１３を据付座１４，１５にスライド可能に仮止める。
【００２５】
これにより、各端脚部１３，１３は、ねじ孔１６からずれないように位置決められる。
この後、図４（ｂ）中の矢印で示されるようにケーブル保護板全体を水中モータ９側へ、開口２１の開口縁が爪部２０と引っ掛かるまでスライドさせる。
【００２６】
これにより、図４（ａ），（ｂ）に示されるように中間脚部１９は爪部２０で支持され、軸受用ケーシング８の外面に固定されていく。
この中間脚部１９の固定を終えたら、先の仮止め小ねじ１８（途中まで挿入していたねじ）をねじ孔１６へねじ込んで、それぞれ端脚部１３を据付座１４，１５に固定していく。
【００２７】
これにより、最も負担が大きな両端部の固定はねじ止めで行われ、負担が小さな中間部の固定は爪部２０の係止で行われる。
固定を終えると、図１に示されるように電源ケーブル９ａは、ケーブル保護板１１で周囲が覆われながら、ポンプケーシング２の外面に添わせられ、弛みが発生しないようにポンプケーシング２上に配線される。
【００２８】
こうしたケーブル保護板１１の中間部をポンプケーシング２の外面に引っ掛けて固定、両端側をポンプケーシング２の外面にねじ止めして固定する構造は、負担の小さい個所のねじ止めが不要になるので、ねじ止め個所の削減（含むねじ加工）、固定に費やす作業時間の短縮、部品点数が削減により、コストの低減、固定作業の効率を図ることができる。
【００２９】
それ故、長い全長のケーブル保護板１１を、効率良く、さらには低コストでポンプケーシング２に取り付けることができる。
しかも、ケーブル保護板１１の中間脚部１９に開口２１を設け、ポンプケーシング２の外面に爪部２０を形成して、開口２１の縁部に爪部２０を引っ掛ける構造は、開口縁と爪部２０との係止がそのまま面倒なねじ止め孔１７の位置決めを兼ねるので、両端側でのねじ止め作業を効率良く進めることができる。特に端脚部１３のねじ止め孔１７を長孔とし、この長孔を用いて小ねじ１８で端脚部１３を仮止めし、この仮止めした端脚部１３をガイドとしてケーブル保護板全体をスライドさせて中間脚部１９を固定してから、仮止めした小ねじ１８をねじ込んで端脚部を固定すると、両端側の端脚部１３は位置ずれの発生なくねじ止めが行なえるので、合理的にケーブル保護板１１の固定作業を進めることができる。
【００３０】
むろん、ケーブル保護板１１は、仮止めを用いずに、中間脚部１９を爪部２０に引っ掛けて固定してから、同固定によって位置決められた各端脚部１３のねじ止め孔１７から小ねじ１８をねじ孔１６へねじ込んで端脚部１３をポンプケーシング２に固定しても、同様に全長の長いケーブル保護板１１を効率良く、かつ安価なコストで固定できることはいうまでもない。
【００３１】
なお、一実施形態は、両端側の２点をねじ止め、中間の１点を係止するケーブル保護板を例に挙げたが、これに限らず、中間を複数の個所で係止してケーブル保護板を固定しても構わない。
【００３２】
また一実施形態では、端脚部、中間脚部をそれぞれ独立した部材から構成した例を挙げたが、これに限らず、板部材の一方端から他方端に渡り、側方に張り出る一対のプレート部を形成し、このプレート部の各板面を中間脚部、端脚部として用いるようにしてもよい。
【００３３】
【発明の効果】
以上説明したように請求項１に記載の発明によれば、水中ポンプ用ケーブル保護板は、中間部がポンプケーシングの外面に引っ掛けて固定、両端側がポンプケーシングの外面にねじ止めして固定されるので、ねじ止め個所が削減され、固定に費やす作業時間の短縮が図れる。しかも、ねじ部品の点数およびねじ加工が削減されるので、コストの低減が図れる。
【００３４】
それ故、全長の長いケーブル保護板を効率良く、かつ安価なコストでポンプケーシングに取り付けることができる。
さらに上記効果に加え、開口縁と爪部とを引っ掛ける構造により、開口縁と爪部との引っ掛けがそのまま面倒なねじ止め孔の位置決めを兼ねるようになるので、ケーブル保護板の両端側でのねじ止め作業を効率良く進めることができる
【００３５】
さらに上記効果に加え、端脚部の仮止めにより、ケーブル保護板の両端側では位置ずれがなくなるから、合理的にケーブル保護板の固定作業を進めることができる。
【図面の簡単な説明】
【図１】本発明の一実施形態のケーブル保護板を、同保護板が取り付けられている水中ポンプのポンプ構造体と共に示す図。
【図２】同ケーブル保護板の構造を説明するための図。
【図３】同ケーブル保護板の中間脚部が固定されるまでを説明するための図。
【図４】同ケーブル保護板の端脚部が固定されるまでを説明するための図。
【符号の説明】
１…ポンプケーシング
５…羽根車
９…水中モータ（モータ）
９ａ…電源ケーブル（ケーブル）
１０…ポンプ構造体
１２…板部材
１３…端脚部
１４，１５…据付座
１６…ねじ孔
１７…ねじ止め孔
１８…小ねじ（ねじ）
１９…中間脚部
２０…爪部
２１…開口。
【図１】
0004033547.tif 000002
【図２】
0004033547.tif 000003
【図３】
0004033547.tif 000004
【図４】
0004033547.tif 000005